(57)【特許請求の範囲】
【請求項１】
配線ダクトに内設された導線から給電される給電電圧より低電圧で点灯するランプと、前記給電電圧を前記ランプの動作電圧に下げてランプに供給するダウントランス部と、ダウントランス部を収容する外殻部と、該外殻部上面に設けられ配線ダクトと外殻部とを機械的に接続し配線ダクトの導線とダウントランス部とを電気的に接続するプラグ部と、を有し、前記配線ダクトの下面開口の長手方向任意位置に着脱自在に取り付けられるダクト取付用照明器具において、前記ダウントランス部はトランスと該トランスに電気的に接続された複数の電子部品とを実装したプリント基板を備えて成り、前記トランスを前記プラグ部の側方の外殻部内に収納し、前記プラグ部の側方の外殻部に前記配線ダクトの下面開口から配線ダクト内に挿入収納されるよう突出形成された第一の収容部を設け、前記電子部品の少なくとも一部を該第一の収容部に収納される位置に配設し、前記ランプをプラグ部の下方に設けたことを特徴とするダクト取付用照明器具。
【請求項２】
前記ランプを灯具外殻部で外囲し、この灯具外殻部を支持する支柱部を前記プラグ部の下方の外殻部下面に立設したことを特徴とする請求項１記載のダクト取付用照明器具。
【請求項３】
前記外殻部に前記配線ダクトの外側面に臨むよう突出形成された第二の収容部を設け、前記トランスを該第二の収容部に収納される位置に配設したことを特徴とする請求項１記載のダクト取付用照明器具。
【請求項４】
前記外殻部に前記配線ダクトの外側面に臨むよう突出形成された第三の収容部を設け、前記電子部品を該第三の収容部に収納される位置に配設したことを特徴とする請求項１記載のダクト取付用照明器具。
【発明の詳細な説明】
【０００１】
【発明の属する技術分野】
本発明は、配線ダクトに着脱自在に取り付けられるダクト取付用照明器具に関する。
【０００２】
【従来の技術】
従来のダクト取付用照明器具を図１５、図１６を用いて説明する。図１５はダクト取付用照明器具の外観を示す斜視図である。図１６はダクト取付用照明器具の要部を破断した側面図である。
【０００３】
図１５、図１６において、ダクト取付用照明器具は、ランプ１、ダウントランス部２、外殻部３、プラグ部４、を有して構成され、配線ダクトの下面開口の長手方向任意位置に着脱自在に取り付けられる照明器具である。
【０００４】
配線ダクト５は、下面開口した長尺物であり、外殻の内側に一対の導線５ａが互いに対向する長手方向両側面に沿って設けられているものである。
【０００５】
ランプ１は、配線ダクト５に内設された導線５ａから給電される給電電圧より低電圧で点灯するものである。
【０００６】
ダウントランス部２は、トランス２ａと該トランス２ａに電気的に接続された複数の電子部品２ｂ，２ｂ…とを実装したプリント基板２ｃを備えて成り、給電電圧をランプ１の動作電圧に下げてランプ１に供給するものである。
【０００７】
外殻部３はダウントランス部２を収容する箱体であって、上面にプラグ部４と放熱板６が取り付けられており、下面にランプ１を外囲する灯具外殻部１ａを支持する支柱部１ｂが立設されている。放熱板６は電子部品２ｂ，２ｂ…の発する熱を放熱するものである。
【０００８】
プラグ部４は、配線ダクト５と外殻部３とを機械的に接続し、配線ダクト５とダウントランス部２とを電気的に接続するものである。
【０００９】
以上のようにして構成されたダクト取付用照明器具にあっては、プラグ部４によって配線ダクト５に取り付けられて、配線ダクト５の長手方向の任意位置においてランプ１を点灯させることができる。
【００１０】
【発明が解決しようとする課題】
しかしながら、上述のようなダクト取付用照明器具にあっては、配線ダクト５の下方に配される外殻部３は、ダウントランス部２全体を配線ダクト５の下面より下方に位置させる大きさを有するものである。
【００１１】
従って外殻部３も大きなものとなり、外観上好ましくないという問題点があった。
【００１２】
本発明は、上記問題点を改善するために成されたもので、その目的とするところは、外観上好ましいダクト取付用照明器具を提供することにある。
【００１３】
【課題を解決するための手段】
本発明は上記の問題を解決するために、請求項１記載の発明にあっては、配線ダクトに内設された導線から給電される給電電圧より低電圧で点灯するランプと、前記給電電圧を前記ランプの動作電圧に下げてランプに供給するダウントランス部と、ダウントランス部を収容する外殻部と、該外殻部上面に設けられ配線ダクトと外殻部とを機械的に接続し配線ダクトの導線とダウントランス部とを電気的に接続するプラグ部と、を有し、前記配線ダクトの下面開口の長手方向任意位置に着脱自在に取り付けられるダクト取付用照明器具において、前記ダウントランス部はトランスと該トランスに電気的に接続された複数の電子部品とを実装したプリント基板を備えて成り、前記トランスを前記プラグ部の側方の外殻部内に収納し、前記プラグ部の側方の外殻部に前記配線ダクトの下面開口から配線ダクト内に挿入収納されるよう突出形成された第一の収容部を設け、前記電子部品の少なくとも一部を該第一の収容部に収納される位置に配設し、前記ランプをプラグ部の下方に設けたことを特徴とするものである。
【００１４】
請求項２記載の発明にあっては、前記ランプを灯具外殻部で外囲し、この灯具外殻部を支持する支柱部を前記プラグ部の下方の外殻部下面に立設したことを特徴とするものである。
【００１６】
請求項３記載の発明にあっては、前記外殻部に前記配線ダクトの外側面に臨むよう突出形成された第二の収容部を設け、前記トランスを該第二の収容部に収納される位置に配設したことを特徴とするものである。
【００１８】
請求項４記載の発明にあっては、前記外殻部に前記配線ダクトの外側面に臨むよう突出形成された第三の収容部を設け、前記電子部品を該第三の収容部に収納される位置に配設したことを特徴とするものである。
【００１９】
【発明の実施の形態】
本発明にかかるダクト取付用照明器具の第一実施の形態を図１乃至図４に基づいて、第二実施の形態を図５〜図７に基づいて、第三実施の形態を図８〜図１０に基づいて説明する。
【００２０】
〔第一実施の形態〕
図１はダクト取付用照明器具の要部を破断した側面図である。図２はダクト取付用照明器具の外観を示す斜視図である。図３はプリント基板の外観を示す斜視図である。図４は他の構成のプリント基板の外観を示す斜視図である。
【００２１】
図１、図２において、ダクト取付用照明器具は、ランプ７、ダウントランス部８、外殻部９、プラグ部１０、を有して構成され、配線ダクト１１の長手方向任意位置に着脱自在に取り付けられる照明器具である。
【００２２】
配線ダクト１１は、下面開口した長尺物であり、外殻の内側に一対の導線１１ａが互いに対向する長手方向両側面に沿って設けられているものである。
【００２３】
ランプ７は、配線ダクト１１に内設された導線１１ａから給電される給電電圧より低電圧で点灯するものである。
【００２４】
ダウントランス部８は、図３に示すように、トランス８ａと該トランス８ａに電気的に接続された複数の電子部品８ｂ，８ｂ…とを実装したプリント基板８ｃを備えて成り、給電電圧をランプ７の動作電圧に下げてランプ７に供給するものである。トランス８ａはプリント基板８ｃの下面に取り付けられ、電子部品８ｂ，８ｂ…はプリント基板８ｃの上面に取り付けられている。
【００２５】
外殻部９はダウントランス部８を収容する箱体であって、上面にプラグ部１０が取り付けられており、下面にランプ７を外囲する灯具外殻部７ａを支持する支柱部７ｂが立設されている。
【００２６】
また、外殻部９には、配線ダクト１１の下面開口１１ｂから配線ダクト１１内に挿入収納されるよう突出形成された第一の収容部９ａが設けてある。そして、プリント基板８ｃは、ダウントランス部８の電子部品８ｂ，８ｂ…が第一の収容部９ａ内に位置するように、外殻部９内に配設されている。よって、電子部品８ｂ，８ｂ…は配線ダクト１１の下面開口１１ｂを含む水平面より配線ダクト１１側（図１中において上側）に位置するように配設されている。
【００２７】
プラグ部１０は、配線ダクト１１と外殻部９とを機械的に接続し配線ダクト１１とダウントランス部８とを電気的に接続するものである。プラグ部１０は引掛ツメ１０ａが、操作ツマミ１０ｂの回動に応じて軸Ａ回りに回動するようになされており、引掛ツメ１０ａが配線ダクト１１と係合して外殻部９を保持する。また、引掛ツメ１０ａの上部には導電性材料で形成された接点１０ｃ，１０ｃが操作ツマミ１０ｂの回動に応じて軸Ａ回りに回動するように設けてあり、配線ダクト１１内で導線１１ａに接触するようになされている。
【００２８】
以上のようにして構成されたダクト取付用照明器具にあっては、プラグ部１０によって配線ダクト１１に取り付けられて、配線ダクト５の長手方向の任意位置においてランプ１を点灯させることができる。
【００２９】
そして外殻部９のトランス８ａを収容している部分は下面開口１１ｂを含む水平面から外殻部９下面までの厚みはさほど薄くはならないが、電子部品８ｂ，８ｂ…を第一の収容部９ａ内に位置するように配置することにより、電子部品８ｂ，８ｂ…が取り付けられている位置を覆う部分は、下面開口１１ｂを含む水平面から外殻部９下面までの厚みを薄くすることができる。
【００３０】
よって、このダクト取付用照明器具を配線ダクト１１に取り付けた状態においては、外殻部９の外部から目視できる部分の厚みは従来のものに較べて薄いものとなり、外観上好ましいものとなっている。
【００３１】
なお、本実施の形態では放熱板を設けていないが、第一の収容部９ａが放熱板の役割を果たしているため、電子部品８ｂ，８ｂ…近傍が所定温度以上の高温になることはない。
【００３２】
また、本実施の形態では、プリント基板８ｃを下面開口１１ｂを含む水平面に対して平行にして外殻部９に内設しているが、これに限られるものではなく、電子部品８ｂ，８ｂ…の一部分が第一の収容部９ａに位置するようになされておればよい。従って、図４に示すように、トランス８ａの取り付けられたプリント基板８ｄと、薄型の電子部品８ｅ，８ｅ…の取り付けられたプリント基板８ｆとを別体として設け、プリント基板８ｆを下面開口１１ｂを含む水平面に対して直角に交わるようにして第一の収容部９ａに納めても良い。この場合にあっても、外殻部９の外部から目視できる部分の厚みは従来のものに較べて薄いものとなすことができる。
【００３３】
〔第二実施の形態〕
図５はダクト取付用照明器具の要部を破断した正面図である。図６はダクト取付用照明器具の外観を示す斜視図である。図７はプリント基板の外観を示す斜視図である。なお、図５乃至図７においては前述の第一実施の形態で説明したところのダクト取付用照明器具と同等の箇所には同じ符号を付してあるので、同等の箇所の詳細な説明は省略する。
【００３４】
図５乃至図７に示す本実施の形態のダクト取付用照明器具が、前述の第一実施の形態で説明したところのダクト取付用照明器具と異なり特徴となるのは次の構成である。
【００３５】
即ち、図５、図６に示すように、外殻部９の側部に配線ダクト１１の外側面１１ｃに臨むよう突出形成された第二の収容部９ｂを設け、トランスａを第二の収容部９ｂに収納される位置に配設した構成である。
【００３６】
そして、図７に示すように、プリント基板８ｃを略Ｌ字状になし、上面にトランス８ａと、電子部品８ｇ，８ｇ…と電子部品８ｈ，８ｈ…とを配設し、トランス８ａと電子部品８ｇ，８ｇ…とが第二の収容部９ｂに収納され、電子部品８ｈ，８ｈ…が第一の収容部９ａに収納されるようになしてある。
【００３７】
従って、トランス８ａを配線ダクト１１の側方に位置させた分だけ外殻部９の厚みを薄くすることができ、また、電子部品８ｇ，８ｇ…と電子部品８ｈ，８ｈ…とを第一の収容部９ａと第二の収容部９ｂとに分けて収納するようになしているので、外殻部９の長手方向長さを短くすることができる。
【００３８】
〔第三実施の形態〕
図８はダクト取付用照明器具の要部を破断した正面図である。図９はダクト取付用照明器具の外観を示す斜視図である。図１０はプリント基板の外観を示す斜視図である。なお、図８乃至図１０においては前述の第二実施の形態で説明したところのダクト取付用照明器具と同等の箇所には同じ符号を付してあるので、同等の箇所の詳細な説明は省略する。
【００３９】
図８乃至図１０に示す本実施の形態のダクト取付用照明器具が、前述の第二実施の形態で説明したところのダクト取付用照明器具と異なり特徴となるのは次の構成である。
【００４０】
即ち、図８、図９に示すように、外殻部９の第二の収容部９ｂを設けた側とは反対側の側部に、配線ダクト１１の外側面１１ｄに臨むよう突出形成された第三の収容部９ｃを設け、電子部品８ｉ，８ｉ…を第三の収容部９ｃに収納される位置に配設した構成である。
【００４１】
そして、図１０に示すように、プリント基板８ｊをＬ字状になし、上面にトランス８ａと、電子部品８ｇ，８ｇ…と電子部品８ｈ，８ｈ…と電子部品８ｉ，８ｉ…とを配設し、トランス８ａと電子部品８ｇ，８ｇ…とが第二の収容部９ｂに収納され、電子部品８ｈ，８ｈ…が第一の収容部９ａに収納され、電子部品８ｉ，８ｉ…が第三の収容部９ｃに収納されるようになしてある。
【００４２】
従って、トランス８ａを配線ダクト１１の側方に位置させた分だけ外殻部９の厚みを薄くすることができ、また、電子部品８ｇ，８ｇ…と電子部品８ｈ，８ｈ…とを第一の収容部９ａと第二の収容部９ｂと第三の収容部９ｃとに分けて収納するようになしているので、外殻部９の長手方向長さをより短くすることができる。また、第二の収容部９ｂと第三の収容部９ｃとで配線ダクト１１を両側から挟むので、地震時や外部から衝撃力が加わったときのダクト取付用照明器具の揺れを低減することができる。
【００４３】
〔第一の提案例〕
以下、本発明に対する提案例を説明する。図１１はダクト取付用照明器具の要部を破断した側面図である。図１２はダクト取付用照明器具の外観を示す斜視図である。図１３はプリント基板の外観を示す斜視図である。なお、図１１乃至図１３においては前述の第一実施の形態で説明したところのダクト取付用照明器具と同等の箇所には同じ符号を付してあるので、同等の箇所の詳細な説明は省略する。
【００４４】
図１１乃至図１３に示す本提案例のダクト取付用照明器具が、前述の第一実施の形態で説明したところのダクト取付用照明器具と異なり特徴となるのは次の構成である。
【００４５】
即ち、図１１、図１２に示すように、ランプ７をプラグ部１０の下方に設けると共に、トランス８ａをプラグ部２０とランプ７との間に介在して設けた構成である。
【００４６】
詳しくは、トランス８ａを、電子部品８ｂ，８ｂ…の取り付けられているプリント基板８ｃとは別体のプリント基板８ｋに設け、外殻部９の支持柱７ｂとプラグ部１０との間の空間を拡大して該空間にトランス８ａを収納している。そして、該空間を外囲する外殻部９の部分を略円筒体の第四の収容部９ｄとなしてある。
【００４７】
従って、外殻部９のプリント基板８ｃが収容されている部分の厚みを薄くすることができる。この場合、トランス８ａを収容した第四の収容部９ｄの厚みが増すが、この第四の収容部９ｄは円筒体であって支持柱７ｄも円筒体であるから、見る者にさほど違和感を与えず、本構成のダクト取付用照明器具は外観上好ましいものとなる。
【００４８】
なお、本提案例では、外殻部９は第一の収容部９ａを有するものとして説明しているが、第二の収容部９ｂや第三の収容部９ｃを有するものであってもよく、この場合にあってはトランス８ａを第二の収容部９ｂに収納せず第四の収容部９ｄに収納するようになせばよい。
【００４９】
〔第二の提案例〕
図１４はダクト取付用照明器具の要部を破断した側面図である。なお、図１４においては前述の第一実施の形態で説明したところのダクト取付用照明器具と同等の箇所には同じ符号を付してあるので、同等の箇所の詳細な説明は省略する。
【００５０】
図１４に示す本提案例のダクト取付用照明器具が、前述の第一実施の形態で説明したところのダクト取付用照明器具と異なり特徴となるのは次の構成である。
【００５１】
即ち、トランス８ａをランプ７を外囲する灯具外殻部７ａの内部に設けた構成である。従って外殻部９のプリント基板８ｃが収容されている部分の厚みを薄くすることができる。
【００５２】
よって、このダクト取付用照明器具を配線ダクト１１に取り付けた状態においては、外殻部９の外部から目視できる部分の厚みは従来のものに較べて薄いものとなり、外観上好ましいものとなっている。
【００５３】
【発明の効果】
本発明のダクト取付用照明器具は上述のように構成してあるから、請求項１記載の発明にあっては、前記ダウントランス部はトランスと該トランスに電気的に接続された複数の電子部品とを実装したプリント基板を備えて成り、前記トランスを前記プラグ部の側方の外殻部内に収納し、前記プラグ部の側方の外殻部に前記配線ダクトの下面開口から配線ダクト内に挿入収納されるよう突出形成された第一の収容部を設け、前記電子部品の少なくとも一部を該第一の収容部に収納される位置に配設し、前記ランプをプラグ部の下方に設けたので、電子部品が第一の収容部に収納され、外殻部の電子部品が取り付けられている位置を覆う部分は、配線ダクトの下面開口を含む水平面から外殻部の下面までの厚みを薄くすることができ、外観上好ましいダクト取付用照明器具を提供できるという効果を奏する。
【００５４】
請求項２記載の発明にあっては、前記ランプを灯具外殻部で外囲し、この灯具外殻部を支持する支柱部を前記プラグ部の下方の外殻部下面に立設したから、外殻部の電子部品が取り付けられている位置を覆う部分は、下面開口を含む水平面から外殻部の下面までの厚みを薄くすることができ、外観上好ましいダクト取付用照明器具を提供できるという効果を奏する。
【００５６】
請求項３記載の発明にあっては、外殻部に前記配線ダクトの外側面に臨むよう突出形成された第二の収容部を設け、トランスを該第二の収容部に収納される位置に配設したので、電子部品が第一の収容部に収納されるとともにトランスが第二の収納部に収納されるので、外殻部の電子部品が取り付けられている位置を覆う部分は、下面開口を含む水平面から外殻部の下面までの厚みを薄くすることができ、外観上好ましいダクト取付用照明器具を提供できるという効果を奏する。
【００５８】
請求項４記載の発明にあっては、外殻部に前記配線ダクトの外側面に臨むよう突出形成された第三の収容部を設け、前記電子部品を該第三の収容部に収納される位置に配設したので、電子部品の一部が第一の収容部に収納され、トランスが第二の収納部に収納されるとともに他の電子部品が第三の収容部に収納されるから外殻部の電子部品が取り付けられている位置を覆う部分は、下面開口を含む水平面から外殻部の下面までの厚みを薄くすることができ、また外殻部の長手方向長さを短くすることができ、よって外観上好ましいダクト取付用照明器具を提供できるという効果を奏する。
【図面の簡単な説明】
【図１】本発明の第一実施の形態のダクト取付用照明器具の要部を破断した側面図である。
【図２】ダクト取付用照明器具の外観を示す斜視図である。
【図３】プリント基板の外観を示す斜視図である。
【図４】ダクト取付用照明器具の他の構成のプリント基板の外観を示す斜視図である。
【図５】本発明の第二実施の形態のダクト取付用照明器具の要部を破断した正面図である。
【図６】ダクト取付用照明器具の外観を示す斜視図である。
【図７】プリント基板の外観を示す斜視図である。
【図８】本発明の第三実施の形態のダクト取付用照明器具の要部を破断した正面図である。
【図９】ダクト取付用照明器具の外観を示す斜視図である。
【図１０】プリント基板の外観を示す斜視図である。
【図１１】本発明に対する第一の提案例のダクト取付用照明器具の要部を破断した側面図である。
【図１２】ダクト取付用照明器具の外観を示す斜視図である。
【図１３】プリント基板の外観を示す斜視図である。
【図１４】本発明に対する第二の提案例のダクト取付用照明器具の要部を破断した側面図である。
【図１５】従来のダクト取付用照明器具の外観を示す斜視図である。
【図１６】従来のダクト取付用照明器具の要部を破断した側面図である。
【符号の説明】
７ ランプ
７ａ 灯具外殻部
８ ダウントランス部
８ａ トランス
８ｂ 電子部品
８ｃ プリント基板
９ 外殻部
９ａ 第一の収容部
９ｂ 第二の収容部
９ｃ 第三の収容部
１０ プラグ部
１１ 配線ダクト
１１ａ 導線
【図１】
0004155611.tif 000002
【図２】
0004155611.tif 000003
【図３】
0004155611.tif 000004
【図４】
0004155611.tif 000005
【図５】
0004155611.tif 000006
【図６】
0004155611.tif 000007
【図７】
0004155611.tif 000008
【図８】
0004155611.tif 000009
【図９】
0004155611.tif 000010
【図１０】
0004155611.tif 000011
【図１１】
0004155611.tif 000012
【図１２】
0004155611.tif 000013
【図１３】
0004155611.tif 000014
【図１４】
0004155611.tif 000015
【図１５】
0004155611.tif 000016
【図１６】
0004155611.tif 000017